(57)【要約】  本発明による効果的に騷音発生防止及び軽量化したバッテリーパックは、 充放電が可能な少なくとも一つ以上の二次電池と、前記少なくとも一つ以上の二次電池を収容するように構成された電池収容部を備える電池フレームと、一面に接着面が形成された接着シート形態を有し、前記電池フレームに収容された前記二次電池の上部に接着固定される本体部、及び前記本体部から下方へ折り曲げられて延び、接着面が前記電池フレームの最外郭の縁部の外側面に接着固定される固定部と、を備えた包装部材と、前記包装部材の接着面の少なくとも一つ以上の部位に付着されている騷音防止部材と、を含む。
2020537312.tif 000002
【特許請求の範囲】
【請求項１】
充放電が可能な少なくとも一つ以上の二次電池と、
前記少なくとも一つ以上の二次電池を収容するように構成された電池収容部を備える電池フレームと、
一面に接着面が形成された接着シート形態を有する包装部材であって、前記電池フレームに収容された前記二次電池の上部に接着固定される本体部、及び前記本体部から下方へ折り曲げられて延び、接着面が前記電池フレームの最外郭の縁部の外側面に接着固定される固定部と、を備えた包装部材と、
前記包装部材の接着面の少なくとも一つ以上の部位に付着されている騷音防止部材と、
を含むことを特徴とするバッテリーパック。
【請求項２】
前記バッテリーパックは、少なくとも一つ以上の二次電池の充放電を制御するバッテリー管理ユニットをさらに含み、
前記電池フレームには、前記バッテリー管理ユニットを収容するように凹んだ空間が形成された制御収容部が形成され、
前記騷音防止部材は、前記包装部材の接着面において前記バッテリー管理ユニットと対向する部位に形成されたことを特徴とする請求項１に記載のバッテリーパック。
【請求項３】
前記騷音防止部材には、前記バッテリー管理ユニットの外面に密着するように延びた隆起部が形成されていることを特徴とする請求項２に記載のバッテリーパック。
【請求項４】
前記騷音防止部材の隆起部には、前記バッテリー管理ユニットまたは前記制御収容部の外側面の形状に倣って凹むかまたは突出した凹凸構造が形成されていることを特徴とする請求項２又は３に記載のバッテリーパック。
【請求項５】
前記騷音防止部材と前記バッテリー管理ユニットとの間には、隙間が生じないように熱伝導性物質が付加されることを特徴とする請求項２〜４のいずれか一項に記載のバッテリーパック。
【請求項６】
前記電池フレームの最外郭の縁部の水平方向の外側面には、内側方向へ凹み、前記最外郭の縁部の方向に沿って延びた少なくとも一つ以上の凹溝が形成されたことを特徴とする請求項１〜５のいずれか一項に記載のバッテリーパック。
【請求項７】
前記騷音防止部材は、前記包装部材の接着面において前記凹溝と対向する部位に形成されたことを特徴とする請求項６に記載のバッテリーパック。
【請求項８】
前記電池フレームの凹溝には、外部方向へ突出し、前記凹溝の内部における一側から他側へ延びたリブが形成されたことを特徴とする請求項６又は７に記載のバッテリーパック。
【請求項９】
前記バッテリーパックは、二つ以上の二次電池を含み、
前記電池フレームの電池収容部には、前記二つ以上の二次電池を区画するように、前記電池フレームの最外郭の縁部の内部における一側から他側へ延びた隔壁が形成され、
前記隔壁の上下方向の高さは、前記電池収容部に収納された前記二つ以上の二次電池の上部の高さよりも低く形成されたことを特徴とする請求項１〜８のいずれか一項に記載のバッテリーパック。
【請求項１０】
前記バッテリーパックは、二つ以上の二次電池を含み、
前記電池フレームの電池収容部には、前記二つ以上の二次電池を区画するように前記電池フレームの最外郭の縁部の内部における一側から他側へ延びた隔壁が形成され、
前記騷音防止部材は、前記包装部材の接着面において前記隔壁と対向する少なくとも一部に形成されたことを特徴とする請求項１〜８のいずれか一項に記載のバッテリーパック。
【請求項１１】
前記包装部材の固定部は、前記二次電池の下部面に接着面が付着されるように内側方向へ折り曲げられて延び、
前記電池収容部の内部空間の内側面には、前記二次電池の下部を上方へ支持するように内側方向へ突出して延びた支持台が形成されたことを特徴とする請求項１〜１０のいずれか一項に記載のバッテリーパック。
【請求項１２】
請求項１から請求項１１のいずれか一項に記載のバッテリーパックを含む、電子デバイス。
【請求項１３】
請求項１２に記載の電子デバイスを含む、電子システム。
【発明の詳細な説明】
【技術分野】
【０００１】
本発明は、騷音防止部材及び電池フレームを含むバッテリーパックに関し、より詳しくは、効果的に騷音発生防止及び軽量化した電池フレームを含むバッテリーパックに関する。
【０００２】
本出願は、２０１８年８月１４日出願の韓国特許出願第１０−２０１８−００９５１０５号に基づく優先権を主張し、該当出願の明細書及び図面に開示された内容は、すべて本出願に組み込まれる。
【背景技術】
【０００３】
現在、商用化した二次電池としては、ニッケルカドミウム電池、ニッケル水素電池、ニッケル亜鉛電池、リチウム二次電池などがあり、このうち、リチウム二次電池は、ニッケル系の二次電池に比べてメモリ効果がほとんど起こらず、充放電が自由で、自己放電率が非常に低くてエネルギー密度が高いという長所から脚光を浴びている。
【０００４】
このような二次電池は、多様な製品への適用が容易であり、高いエネルギー密度を有する電気的特性を有している。このような二次電池は、携帯用電子デバイスのみならず電気的駆動源によって駆動する電気自動車またはハイブリッド自動車、電力貯蔵装置などに適用されている。
【０００５】
二次電池は、化石燃料の使用を画期的に減少させることができるという一次的な長所のみならず、エネルギーの使用による副産物が全く発生しないという点で環境にやさしく、エネルギー効率性の向上のための新しいエネルギー源として注目を浴びている。
【０００６】
一方、通常、ノートブックＰＣ、ミニノートブックＰＣ、ネットブック、スマートフォン、ＰＭＰ（Ｐｏｒｔａｂｌｅ  Ｍｕｌｔｉｍｅｄｉａ  Ｐｌａｙｅｒ）のような電子デバイスは、移動型電源を有する。このような電子デバイスは、複数の二次電池が直列または／及び並列に接続してなるバッテリーパックを用いる。このようなバッテリーパックは、過充電、過放電または過電流から二次電池を保護するための保護回路モジュール（ｐｒｏｔｅｃｔｉｖｅ  ｃｉｒｃｕｉｔ  ｍｏｄｕｌｅ，ＰＣＭ）を含み、前記二次電池及び保護回路モジュールは、フレーム内に共に内蔵される。
【０００７】
また、最近は、電子デバイスの小型化につれ、バッテリーパックの体積の最小化が求められている。このような電子デバイスに適用されるバッテリーパックは、厚さの減少のためにフレームに接着面が形成されている接着シート形態のラベルを付着し、二次電池及び保護回路モジュールをフレームの内側に固定及び保護するように構成され得る。
【０００８】
そして、電子デバイスの厚さが薄くなりながら電子デバイスは可撓性（ｆｌｅｘｉｂｌｅ）が高くなり得、電子デバイスの内側に収容されたバッテリーパックも電子デバイスと共に撓われるような形態変形が可能となった。
【０００９】
しかし、使用者が電子デバイスのタッチパッドを押圧するだけでも、バッテリーパックが撓われるかまたは形態が変形してしまい、ラベルの接着面が二次電池またはフレームと接着するか、または分離することが繰り返されることがあり、これによる騷音が発生してしまい、使用者の不便を招来するという問題があった。
【発明の概要】
【発明が解決しようとする課題】
【００１０】
本発明は、上記問題点に鑑みてなされたものであり、詳しくは、効果的に騷音発生防止及び軽量化した電池フレームを含むバッテリーパックを提供することを目的とする。
【００１１】
本発明の他の目的及び長所は、下記する説明によって理解でき、本発明の実施例によってより明らかに分かるであろう。また、本発明の目的及び長所は、特許請求の範囲に示される手段及びその組合せによって実現することができる。
【課題を解決するための手段】
【００１２】
上記の課題を達成するため、本発明によるバッテリーパックは、
充放電が可能な少なくとも一つ以上の二次電池と、
前記少なくとも一つ以上の二次電池を収容するように構成された電池収容部を備える電池フレームと、
一面に接着面が形成された接着シート形態を有する包装部材であって、前記電池フレームに収容された前記二次電池の上部に接着固定される本体部、及び前記本体部から下方へ折り曲げられて延び、接着面が前記電池フレームの最外郭の縁部の外側面に接着固定される固定部と、を備えた包装部材と、
前記包装部材の接着面の少なくとも一つ以上の部位に付着されている騷音防止部材と、
を含む。
【００１３】
また、前記バッテリーパックは、少なくとも一つ以上の二次電池の充放電を制御するバッテリー管理ユニットをさらに含み得る。
【００１４】
さらに、前記電池フレームには、前記バッテリー管理ユニットを収容するように凹んだ空間が形成された制御収容部が形成され得る。
【００１５】
そして、前記騒音防止部材は、前記包装部材の接着面において前記バッテリー管理ユニットと対向する部位に形成され得る。
【００１６】
また、前記騷音防止部材には、前記バッテリー管理ユニットの外面に密着するように延びた隆起部が形成され得る。
【００１７】
さらに、前記騷音防止部材の隆起部には、前記バッテリー管理ユニットまたは前記制御収容部の外側面の形状に倣って凹むかまたは突出した凹凸構造が形成され得る。
【００１８】
そして、前記騷音防止部材と前記バッテリー管理ユニットとの間には、隙間が生じないように熱伝導性物質が付加され得る。
【００１９】
また、前記電池フレームの最外郭の縁部の水平方向の外側面には、内側方向へ凹み、前記最外郭の縁部の方向に沿って延びた少なくとも一つ以上の凹溝が形成され得る。
【００２０】
また、前記騷音防止部材は、前記包装部材の接着面において前記凹溝と対向する部位に形成され得る。
【００２１】
さらに、前記電池フレームの凹溝には、外部方向へ突出し、前記凹溝の内部における一側から他側へ延びたリブが形成され得る。
【００２２】
そして、前記バッテリーパックは、二つ以上の二次電池を含み得、前記電池フレームの電池収容部には、前記二つ以上の二次電池を区画するように、前記電池フレームの最外郭の縁部の内部における一側から他側へ延びた隔壁が形成され得る。
【００２３】
さらに、前記隔壁の上下方向の高さは、前記電池収容部に収納された前記二つ以上の二次電池の上部の高さよりも低く形成され得る。
【００２４】
また、前記バッテリーパックは、二つ以上の二次電池を含み、前記電池フレームの電池収容部には、前記二つ以上の二次電池を区画するように前記電池フレームの最外郭の縁部の内部における一側から他側へ延びた隔壁が形成され得る。
【００２５】
さらに、前記騷音防止部材は、前記包装部材の接着面において前記隔壁と対向する少なくとも一部に形成され得る。
【００２６】
そして、前記包装部材の固定部は、前記二次電池の下部面に接着面が付着されるように内側方向へ折り曲げられて延び得る。
【００２７】
また、前記電池収容部の内部空間の内側面には、前記二次電池の下部を上方へ支持するように内側方向へ突出して延びた支持台が形成され得る。
【００２８】
また、上記の課題を達成するため、本発明による電子デバイスは、前記バッテリーパックを含む。
【００２９】
さらに、上記の課題を達成するため、本発明による電子システムは、前記電子デバイスを含む。
【発明の効果】
【００３０】
本発明の一面によれば、バッテリーパックが包装部材の接着面の少なくとも一つ以上の部位に付着されている騷音防止部材を備えることで、電池フレームの外面において包装部材の脱付着が起こりやすい部分に付着された包装部材の接着面が離れながら発生する騷音を未然に防止することができる。
【００３１】
さらに、本発明の一面によれば、騷音防止部材を包装部材の接着面において騷音の発生が頻繁なバッテリー管理ユニットを収容した制御収容部と対応する部位に形成することで、特に、バッテリーパックの騷音発生を画期的に減らすことができる。これによって、バッテリーパックを含む電子デバイスの使用の便宜性を向上させることができる。
【００３２】
そして、本発明の一面によれば、騷音防止部材にバッテリー管理ユニットと密着するように構成された隆起部を形成することで、包装部材とバッテリー管理ユニットとの隙間を最大限に減らすことができ、バッテリーパックの騷音発生を効果的に減少させることができる。
【００３３】
また、本発明の他面によれば、騷音防止部材にバッテリー管理ユニットと密着するように構成された隆起部に凹凸構造を形成することで、包装部材とバッテリー管理ユニットの印刷回路基板との間の隙間を最大限に減らすことができる。これによって、バッテリーパックの騷音発生をさらに減少させることができる。
【００３４】
さらに、本発明の他面によれば、熱伝導性物質が騷音防止部材とバッテリー管理ユニットとの間に介在されるように付加される場合、騷音防止部材とバッテリー管理ユニットとの間に発生し得る空間を最小化することができ、前記空間による騷音の発生を未然に防止することができるだけでなく、空間による空気の量を減らすことができる。そして、二次電池から発生した熱の熱伝導率を画期的に高めることができ、バッテリーパックの冷却効率を向上させることができる。
【００３５】
また、本発明の一面によれば、本発明の電池フレームに形成された凹溝によって電池フレームの重さが減り、バッテリーパックの軽量化の効果を奏する。
【００３６】
さらに、本発明の他面によれば、本発明の騷音防止部材を、包装部材の接着面において隔壁と対向する少なくとも一部に形成することで、隔壁が包装部材の接着面に接触することを予め防止することができる。これによって、隔壁と包装部材との接着を防止することで、包装部材が隔壁の上端面に脱付着することによる騷音の発生を減らすことができる。
【００３７】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００３８】
【図１】本発明の一実施例によるバッテリーパックを概略的に示した斜視図である。
【図２】本発明の一実施例によるバッテリーパックの分離した一部構成を概略的に示した分離斜視図である。
【図３】本発明の一実施例によるバッテリーパックの一部構成である二次電池を概略的に示した平面図である。
【図４】本発明の一実施例によるバッテリーパックの一部構成である包装部材を概略的に示した底面図である。
【図５】本発明の一実施例によるバッテリーパックの一部構成を概略的に示した平面図である。
【図６】図１のバッテリーパックの線Ｃ−Ｃ’に沿って見た一部を概略的に示す断面図である。
【図７】図１のバッテリーパックの線Ｄ−Ｄ’に沿って見た一部を概略的に示した断面図である。
【図８】本発明の他の実施例によるバッテリーパックの切断した一部を概略的に示す断面図である。
【図９】本発明の一実施例によるバッテリーパックの一部構成である電池フレームの一部を概略的に示した斜視図である。
【図１０】図１のバッテリーパックの線Ａ−Ａ’に沿って見た一部を概略的に示す断面図である。
【図１１】本発明の他の実施例によるバッテリーパックの一部構成である電池フレームの一部を概略的に示した斜視図である。
【図１２】本発明の他の実施例によるバッテリーパックの一部構成である包装部材を概略的に示した底面図である。
【図１３】本発明のさらに他の実施例によるバッテリーパックの切断された一部を概略的に示す断面図である。
【発明を実施するための形態】
【００３９】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００４０】
したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００４１】
図１は、本発明の一実施例によるバッテリーパックを概略的に示した斜視図である。図２は、本発明の一実施例によるバッテリーパックの分離した一部構成を概略的に示した分離斜視図である。そして、図３は、本発明の一実施例によるバッテリーパックの一部構成である二次電池を概略的に示した平面図である。
【００４２】
図１〜図３を参照すれば、前記バッテリーパック２００は、充放電が可能な少なくとも一つ以上の二次電池１００、電池フレーム２１０、包装部材２５０、及び騷音防止部材２６０を含む。
【００４３】
まず、図３を参照すれば、前記二次電池１００は、パウチ型二次電池１００であり得る。特に、ここで、前記パウチ型二次電池１００は、電極組立体（図示せず）、電解質（図示せず）、及びパウチ外装材１１５を備え得る。
【００４４】
ここで、前記電極組立体（図示せず）は、一つ以上の正極板及び一つ以上の負極板がセパレーターを挟んで配置された形態で構成され得る。より具体的に、前記電極組立体は、一つの正極板及び一つの負極板がセパレーターと共に巻き取られた巻取型、及び複数の正極板と複数の負極板とがセパレーターを挟んで相互に積層されたスタック型などに分けされ得る。
【００４５】
また、前記パウチ外装材１１５は、外部絶縁層、金属層、及び内部接着層を備えるように構成され得る。さらに、このようなパウチ外装材１１５は、電極組立体及び電解液などの内部構成要素を保護し、電極組立体と電解液による電気化学的性質に対する補完及び放熱性などを向上させるために金属薄膜、例えば、アルミニウム薄膜が含まれた形態で構成され得る。
【００４６】
そして、このようなアルミニウム薄膜は、電極組立体及び電解液のような二次電池１００の内部構成要素や二次電池１００の外部の他の構成要素との電気的絶縁性を確保するために、絶縁物質から形成された絶縁層の間に介在され得る。
【００４７】
さらに、前記パウチ外装材１１５は、二つのパウチから構成され得、そのうち少なくとも一つには凹んだ形態の内部空間が形成され得る。そして、このようなパウチの内部空間には、電極組立体が収納され得る。そして、二つのパウチの外周は相互溶着することで、電極組立体が収容された内部空間が密閉されるように封止処理され得る。例えば、図３に示したように、前記パウチ外装材１１５の外周に位置して封止処理されたテラス部１１７が形成され得る。
【００４８】
さらに、各々のパウチ型二次電池１００は、電極リード１１１を備え得、このような電極リード１１１には、正極リード１１１ａ及び負極リード１１１ｂが含まれ得る。ここで、各々の電極リード１１１ａ、１１１ｂは、プレート形態で構成され、二つの広い面が上下部に各々位置し得る。
【００４９】
そして、前記電極リード１１１は、パウチ外装材１１５の一側の外周に位置したテラス部１１７から外部方向へ突出するように構成され得る。即ち、前記電極リード１１１は、パウチ外装材１１５のテラス部１１７を通してパウチ外装材１１５の外へ引き出され得る。
【００５０】
例えば、図３に示したように、一つの電極リード１１１ａが二次電池１００のテラス部１１７の一辺の一側に突出して構成され得、他の一つの電極リード１１１ｂは、一つの電極リード１１１ａから所定の距離で離隔してテラス部１１７の一辺の他側に突出して構成され得る。
【００５１】
前述したパウチ型二次電池１００の構成については、本願発明が属する技術分野における当業者にとって自明な事項であるため、より詳しい説明を省略する。そして、本発明によるバッテリーパック２００には、本願発明の出願時点における公知の多様な二次電池１００を採用することができる。
【００５２】
また、図２及び図３を共に参照すれば、前記二次電池１００は、電極リード１１１ｂと溶接結合した電流遮断部材３００を備え得る。
【００５３】
具体的に、前記電流遮断部材３００は、電流遮断素子３１０、第１連結部材３２０、及び第２連結部材３３０を含み得る。また、前記電流遮断素子３１０は、両側部の各々が前記第１連結部材３２０及び前記第２連結部材３３０と電気的に接続している。さらに、前記第１連結部材３２０は、二次電池１００の電極リード１１１ｂと電気的に接続するように結合し得る。
【００５４】
そして、前記第２連結部材３３０は、バッテリーパック２００の他の構成と電気的に接続し得る。例えば、前記第２連結部材３３０は、バッテリーパック２００のバッテリー管理ユニット２７０と電気的に接続し得る。
【００５５】
例えば、図３に示したように、電流遮断部材３００は、二次電池１００のテラス部１１７の上に位置し得る。さらに、前記第１連結部材３２０は、一端部が電流遮断素子３１０と接続し、一部が電極リード１１１ｂと接続し得る。
【００５６】
また、前記電池フレーム２１０は、前記少なくとも一つ以上の二次電池１００を収容するように構成された電池収容部２１２を備え得る。さらに、前記電池収容部２１２には、前記二次電池１００の下面と対応する大きさの開口０１が形成され得る。そして、前記電池フレーム２１０は、最外郭の縁部２１１が四角フレームの形態であり得る。
【００５７】
例えば、図２に示したように、前記電池フレーム２１０には、４個の二次電池１００を収容する電池収容部２１２が形成されている。そして、前記電池収容部２１２には、前記二次電池１００の下面と対応する大きさの開口０１が  ４個形成され得る。
【００５８】
したがって、本発明のこのような構成によれば、前記電池フレーム２１０に形成された電池収容部２１２には、前記二次電池１００の下面と対応する大きさの開口０１が形成されることで、前記二次電池１００で発生した熱を前記電池フレーム２１０の外部へ排出する排出効率を効果的に向上させることができる。
【００５９】
例えば、前記電池フレーム２１０は、ポリエチレンテレフタレート（ＰＥＴ）、ポリエチレン（ＰＥ）、ポリプロピレン（ＰＰ）、ポリスチレン（ＰＳ）及びポリ塩化ビニル（ＰＶＣ）のうち、選択された一つ以上を含み得る。しかし、必ずしもこれらの素材のみに限定されることではなく、前記電池フレーム２１０に適用可能な電気絶縁性を有し、軽量化可能な素材であれば、いずれも適用可能である。
【００６０】
図４は、本発明の一実施例によるバッテリーパックの一部構成である包装部材を概略的に示した底面図である。そして、図５は、本発明の一実施例によるバッテリーパックの一部構成を概略的に示した平面図である。
【００６１】
図２と共に図４及び図５を参照すれば、前記包装部材２５０は、一面に接着面２５５が形成された接着シート形態を有し得る。具体的に、前記包装部材２５０のシート基材は、ポリエチレンテレフタレート（ＰＥＴ）のような材質を含み得る。例えば、前記包装部材２５０のシート基材の一面（内面）には、接着物質が塗布されてなった接着面２５５が形成され得る。そして、前記包装部材２５０のシート基材の他面（外面）には、文字ないし多様な形状が印刷され得る。
【００６２】
より具体的に、前記包装部材２５０は、本体部２５２及び固定部２５４を備え得る。また、前記本体部２５２は、前記電池フレーム２１０に収容された前記二次電池１００の上部に接着固定される部位を含み得る。さらに、前記本体部２５２の一部は、前記電池フレーム２１０の上面の少なくとも一部に接着されるように構成され得る。例えば、Ｆ方向から見たとき、前記本体部２５２は、前記二次電池１００及び前記電池フレーム２１０の上面に接着されるように構成され得る。
【００６３】
ここで、前、後、左、右、上、下のような方向を示す用語は、観測者の位置や対象の置かれた形態によって変わり得る。但し、本明細書においては、説明の便宜のために、Ｆ方向から見たときを基準にして、前、後、左、右、上、下などの方向を区分して示す。
【００６４】
そして、前記固定部２５４は、前記本体部２５２から下方へ折り曲げられて延び、接着面２５５が前記電池フレーム２１０の最外郭の縁部２１１（図２）の水平方向（ｘ，ｙ方向）の外側面に接着固定される部位であり得る。
【００６５】
例えば、図２に示したように、前記電池フレーム２１０の上部と水平方向の側部に接合した包装部材２５０は、本体部２５２及び固定部２５４を備え得る。また、前記本体部２５２は、前記二次電池１００及び前記電池フレーム２１０の上部に接着固定される部分であり、前記固定部２５４は、前記電池フレーム２１０の最外郭の縁部２１１の外側面に接着固定される部分であり得る。
【００６６】
また、前記バッテリーパック２００は、第２包装部材２３０をさらに含み得る。具体的に、前記第２包装部材２３０は、前記電池フレーム２１０の下面を囲むようにシート形状を有し得る。そして、前記第２包装部材２３０の上面には接着剤が塗布され、接着面２３２が形成され得る。したがって、前記第２包装部材２３０は、前記電池フレーム２１０に載置された二次電池１００の下面及び前記電池フレーム２１０の下面を覆うように形成され得る。
【００６７】
また、図４と共に図５を参照すれば、前記騷音防止部材２６０は、上面が扁平なシート形態またはブロック形態であり得る。また、前記騷音防止部材２６０は、前記包装部材２５０の接着面２５５の少なくとも一つ以上の部位に付着されるように構成され得る。例えば、前記騷音防止部材２６０は、ポリエチレンテレフタレート、ポリプロピレン、ポリエチレン、ビニル及びポリスチレン素材のいずれか一種以上を含む扁平なシート形態であり得る。また、前記騷音防止部材２６０は、繊維、ゴムまたはシリコーン素材のブロック形態（図示せず）であり得る。
【００６８】
さらに、前記騷音防止部材２６０は、前記包装部材２５０と前記電池フレーム２１０との間に上下方向の隙間が形成された部位と対応する大きさを有し得、隙間が形成された部位と対応する位置に付加され得る。例えば、図４に示したように、前記騷音防止部材２６０は、前記包装部材２５０の下面に形成された接着面２５５のうち、中央部位に付着されるように付加され得る。
【００６９】
一方、従来技術では、使用者がバッテリーパック２００が内蔵された電子デバイスを使う途中に、使用者の力によってバッテリーパック２００の電池フレーム２１０に捻れが発生しやすかった。この際、電子デバイスは、前記包装部材２５０の接着面２５５と電池フレーム２１０との間の隙間が形成された部位で騷音が発生し易かった。即ち、前記包装部材２５０の接着面２５５が前記電池フレーム２１０と脱着しながら大きい騷音が発生した。例えば、前記電子デバイスは、タブレットＰＣまたはノートブックＰＣであり得る。
【００７０】
したがって、本発明のこのような構成によれば、前記バッテリーパック２００は、前記包装部材２５０の接着面２５５の少なくとも一つ以上の部位に付着されている騷音防止部材２６０を備えることで、前記電池フレーム２１０の外面に付着された前記包装部材２５０の接着面２５５が離れながら発生する騷音を未然に防止することができる。
【００７１】
また、図２及び図５を参照すれば、前記バッテリーパック２００は、少なくとも一つ以上の二次電池１００の充放電を制御するバッテリー管理ユニット２７０をさらに含み得る。具体的に、前記バッテリー管理ユニット２７０は、前記二つ以上の二次電池１００の間に配置され得る。例えば、図２に示したように、前記バッテリー管理ユニット２７０を中心にして４個の二次電池１００が前記電池フレーム２１０に収納され得る。
【００７２】
また、前記バッテリー管理ユニット２７０は、印刷回路基板２７２を備え得る。そして、前記印刷回路基板２７２には、二次電池１００の電極リード１１１及び電流遮断部材３００が電気的／器具的に接続できる接続部（図示せず）が備えられ得る。さらに、前記バッテリー管理ユニット２７０は、二次電池１００の充放電電圧及び／または電流を制御できる素子（図示せず）や、二次電池１００が過充電状態及び／または過放電状態にならないように保護する役割を果たす素子（図示せず）を備え得る。さらに、前記バッテリー管理ユニット２７０の印刷回路基板２７２の一側には、外部電源コネクター２７４が接続して外側へ延びており、これは外部装置に電気的に接続し得る。
【００７３】
さらに、前記電池フレーム２１０には、前記バッテリー管理ユニット２７０を収容するように凹んだ空間が形成された制御収容部２１５が形成され得る。例えば、前記制御収容部２１５は、前記電池フレーム２１０の電池収容部２１２の一側に形成され得る。また、前記制御収容部２１５は、複数の二次電池１００を備える場合、前記電池フレーム２１０の複数の電池収容部２１２の間に形成され得る。
【００７４】
さらに、前記騷音防止部材２６０は、前記包装部材２５０の接着面２５５において前記バッテリー管理ユニット２７０と対向する部位に形成され得る。即ち、前記バッテリー管理ユニット２７０が収容される制御収容部２１５は、前記包装部材２５０の本体部２５２と前記バッテリー管理ユニット２７０または前記制御収容部２１５との隙間が発生する部位が最も多く分布し得、バッテリーパック２００の包装部材２５０の接着面２５５が前記電池フレーム２１０に付着または脱離することが頻煩に発生しやすい部位であった。
【００７５】
例えば、図４に示したように、前記騷音防止部材２６０は、前記包装部材２５０の接着面２５５において、前記バッテリー管理ユニット２７０と対向する中央部位に付着され得る。そして、前記騷音防止部材２６０の形状は、前記制御収容部２１５の上部面をカバーできる大きさに形成され得る。
【００７６】
したがって、本発明のこのような構成によれば、前記騷音防止部材２６０を前記包装部材２５０の接着面２５５において騷音がよく発生する前記バッテリー管理ユニット２７０が収容された制御収容部２１５と対応する部位に形成することで、バッテリーパック２００の騷音発生を大幅減少させることができる。これによって、バッテリーパック２００を含む電子デバイスの使用の便宜性を向上させることができる。
【００７７】
図６は、図１のバッテリーパックの線Ｃ−Ｃ’に沿って見た一部を概略的に示す断面図である。
【００７８】
図５及び図６を共に参照すれば、前記騷音防止部材２６０には、前記包装部材２５０の接着面２５５に接合された固定面２６０ａから下方へ延びて突出した隆起部２６０ｂが形成され得る。また、前記隆起部２６０ｂは、前記バッテリー管理ユニット２７０の外面に密着するように突出して延び得る。より具体的に、前記隆起部２６０ｂは、前記バッテリー管理ユニット２７０が備えた印刷回路基板２７２の上面及び前記電池フレーム２１０の制御収容部２１５の上面と接触するように構成され得る。例えば、前記騷音防止部材２６０の隆起部２６０ｂは、繊維、ゴムまたはシリコーン素材を含むブロック形態であり得る。
【００７９】
例えば、図６に示したように、前記騷音防止部材２６０には、前記固定面２６０ａから下方へ延びて突出した隆起部２６０ｂが形成され得る。また、前記隆起部２６０ｂは、下部に位置した印刷回路基板２７２の上面と密着するように構成され得る。
【００８０】
したがって、本発明のこのような構成によれば、前記騷音防止部材２６０に前記バッテリー管理ユニット２７０と密着するように構成された隆起部２６０ｂを形成することで、前記包装部材２５０と前記バッテリー管理ユニット２７０との間に形成される隙間を最大限に減らすことができる。これによって、バッテリーパック２００の騷音発生を効果的に減らすことができる。
【００８１】
図７は、図１のバッテリーパックの線Ｄ−Ｄ’に沿って見た一部を概略的に示す断面図である。
【００８２】
図５と共に図７を参照すれば、前記騷音防止部材２６０Ｂの隆起部２６０ｂには、前記バッテリー管理ユニット２７０の外面形状に倣って凹むかまたは突出した凹凸構造２６６が形成され得る。また、前記電池フレーム２１０の制御収容部２１５には、前記バッテリー管理ユニット２７０の印刷回路基板２７２が外部に抜けることを防止するように前記印刷回路基板２７２が位置した方向へ延びて突出した固定突起２１５ｐが形成され得る。
【００８３】
例えば、図７に示したように、前記騷音防止部材２６０Ｂの隆起部２６０ｂには、前記固定突起２１５ｐの外面形状に倣って凹むかまたは突出した凹凸構造２６６が形成され得る。
【００８４】
したがって、本発明のこのような構成によれば、前記騷音防止部材２６０Ｂに前記バッテリー管理ユニット２７０と密着するように構成された隆起部２６０ｂに凹凸構造２６６を形成することで、前記包装部材２５０と前記バッテリー管理ユニット２７０の印刷回路基板２７２との間に形成され得る隙間を最大限に減らすことができる。これによって、バッテリーパック２００の騷音発生をさらに減少させることができる。
【００８５】
図８は、本発明の他の実施例によるバッテリーパックの切断した一部を概略的に示す断面図である。
【００８６】
図８を参照すれば、前記騷音防止部材２６０ｃと前記バッテリー管理ユニット２７０との間には、隙間が生じないよう熱伝導性物質２８０を付加し得る。  
【００８７】
さらに、前記熱伝導性物質２８０は、熱伝導性の高い高分子樹脂またはシリコーン系樹脂及びフィラーを含み得る。例えば、前記高分子樹脂は、ポリシロキサン樹脂、ポリアミド樹脂、ウレタン樹脂またはエポキシ系樹脂であり得る。そして、例えば、前記熱伝導性物質２８０は、ウレタン樹脂またはシリコーン樹脂のような電気絶縁性素材を含み得る。さらに、前記フィラーは、熱伝導性の高いアルミニウムまたは銅のような金属成分であり得る。
【００８８】
例えば、図８に示したように、前記騷音防止部材２６０ｃと前記電池フレーム２１０に載置されたバッテリー管理ユニット２７０との間には、隙間が生じないように熱伝導性物質２８０が介在され得る。即ち、前記熱伝導性物質２８０が前記印刷回路基板２７２及び前記固定突起２１５pの外面の一部を囲むように付加され得る。
【００８９】
したがって、本発明のこのような構成によれば、前記熱伝導性物質２８０が前記騷音防止部材２６０ｃと前記バッテリー管理ユニット２７０との間に介在されるように付加される場合、前記騷音防止部材２６０ｃと前記バッテリー管理ユニット２７０との間に発生し得る空間を最小化することができ、前記空間による騷音の発生を未然に防止できるだけでなく、空間による空気の量を減らすことができる。そして、前記二次電池１００から発生した熱の熱伝導率を画期的に高めることができ、バッテリーパック２００の冷却効率を向上させることができる。
【００９０】
図９は、本発明の一実施例によるバッテリーパックの一部構成である電池フレームの一部を概略的に示した斜視図である。
【００９１】
図９を参照すれば、前記電池フレーム２１０の最外郭の縁部２１１の水平方向（ｘ，ｙ方向）の外側面２１１ｃには、内側方向へ凹んだ少なくとも一つ以上の凹溝２１０ｈが形成され得る。また、前記凹溝２１０ｈは、前記最外郭の縁部２１１の縁部方向に沿って長く延び得る。さらに、前記凹溝２１０ｈの形状は、図１のＦ方向（正面）から見た場合、楕円形であり得る。
【００９２】
さらに、前記電池フレーム２１０の最外郭の縁部２１１の水平方向（ｘ，ｙ方向）の外側面２１１ｃには、二つ以上の凹溝２１０ｈが形成され得る。また、前記二つ以上の凹溝２１０ｈは、相互一定の間隔で離隔して形成され得る。
【００９３】
例えば、図５と共に図９に示したように、前記電池フレーム２１０の最外郭の縁部２１１には、４個の外側面２１１ｃが形成され得る。また、前記４個の外側面２１１ｃの各々には、一対の凹溝２１０ｈが相互所定の距離で離隔した形態で形成され得る。
【００９４】
したがって、本発明のこのような構成によれば、前記電池フレーム２１０に形成された凹溝２１０ｈによって前記電池フレーム２１０の重さが減り、前記バッテリーパック２００を軽量化できる効果を奏する。
【００９５】
図１０は、図１のバッテリーパックの線Ａ−Ａ’に沿って見た一部を概略的に示す断面図である。
【００９６】
また、図４と共に図１０を参照すれば、前記騷音防止部材２６１は、前記包装部材２５０の接着面２５５において前記凹溝２１０ｈと対向する部位に形成され得る。具体的に、前記騷音防止部材２６１は、前記凹溝２１０ｈに少なくとも一部が挿入可能な大きさであるか、または前記凹溝２１０ｈの大きさよりも大きく形成され得る。
【００９７】
例えば、図１０に示したように、前記電池フレーム２１０の最外郭の縁部２１１の水平方向の外側面には、二つの凹溝２１０ｈが上下方向へ所定の距離で離隔しており、前記二つの凹溝２１０ｈと対向するように二つの騷音防止部材２６１が形成され得る。
【００９８】
また、前記騷音防止部材２６１は、形状の変形が容易であり、非常に軽い素材であり、前記凹溝２１０ｈの内部空間を満たす形態であり得る。さらに、前記騷音防止部材２６１は、前記凹溝２１０ｈの外周を覆う扁平なシート形態であり得る。
【００９９】
例えば、図１０に示したように、二つの扁平なシート形態の騷音防止部材２６１が二つの凹溝２１０ｈの各々の外周と対向するように形成され得る。
【０１００】
したがって、本発明のこのような構成によれば、前記凹溝２１０ｈに対応する位置に前記騷音防止部材２６１を加えることで、前記電池フレーム２１０の最外郭の縁部２１１が捻れながら凹溝２１０ｈと包装部材２５０との脱着によって発生する騷音を防止することができる。これによって、使用者の製品使用の便宜性を向上させることができる。
【０１０１】
図１１は、本発明の他の実施例によるバッテリーパックの一部構成である電池フレームの一部を概略的に示した斜視図である。
【０１０２】
図１１を参照すれば、前記電池フレーム２１０Ｂの凹溝２１０ｈには、少なくとも一つ以上のリブ２１０ｒが形成され得る。具体的に、前記リブ２１０ｒは、外部方向へ突出した形態であり得る。そして、前記リブ２１０ｒは、前記凹溝２１０ｈの内部における一側から他側まで延びた形態であり得る。
【０１０３】
例えば、図１１に示したように、図１のＦ方向から見たとき、前記電池フレーム２１０Ｂに形成された二つの凹溝２１０ｈには、外部方向へ突出し、前記二つの凹溝２１０ｈの各々の内部における上側から下側まで延びた複数のリブ２１０ｒが形成され得る。
【０１０４】
したがって、本発明のこのような構成によれば、前記電池フレーム２１０Ｂに形成された凹溝２１０ｈによって、薄くなった電池フレーム２１０Ｂの最外郭の縁部２１１の機械的剛性を、前記少なくとも一つ以上のリブ２１０ｒを形成することで、補うことができる。これによって、バッテリーパック２００の耐久性を向上させることができる。
【０１０５】
一方、図５と共に図９を参照すれば、前記電池フレーム２１０は、二つ以上の二次電池１００を含み得る。そして、前記電池フレーム２１０の電池収容部２１２には、前記二つ以上の二次電池１００を区画するように隔壁２１３が形成され得る。さらに、前記隔壁２１３は、前記電池フレーム２１０の内部における一側２１１ｃ１から他側２１１ｃ２へ延び得る。即ち、前記隔壁２１３は、前記電池フレーム２１０に備えられた電池収容部２１２の内部空間を区画するように最外郭の縁部２１１の内部における一側２１１ｃ１から他側２１１ｃ２へ延び得る。
【０１０６】
また、前記隔壁２１３の上下方向の高さＨ１は、前記電池フレーム２１０に収納された前記二つ以上の二次電池１００の上部の高さよりも低く形成され得る。そして、前記隔壁２１３の上下方向の高さＨ１は、前記電池フレーム２１０の最外郭の縁部２１１の上側の高さＨ３よりも低く形成され得る。
【０１０７】
例えば、図２及び図９に示したように、前記電池フレーム２１０には、４個の二次電池１００を収納するように電池収容部２１２が形成され得る。そして、前記電池フレーム２１０は、二つの二次電池１００を区画するように前記電池フレーム２１０の最外郭の縁部２１１の内部における一側２１１ｃ１から他側２１１ｃ２へ延びた隔壁２１３が形成され得る。
【０１０８】
さらに、前記隔壁２１３の上下方向の高さＨ１は、前記電池収容部２１２に収納された二次電池１００の上部高さよりも低く形成され得る。また、前記隔壁２１３の上下方向の高さＨ１は、前記電池フレーム２１０の最外郭の縁部２１１の高さＨ３よりも低く形成され得る。
【０１０９】
したがって、本発明のこのような構成によれば、前記隔壁２１３の上下方向の高さＨ１は、前記電池収容部２１２に収納された二次電池１００の上部高さよりも低く形成することで、前記包装部材２５０が前記隔壁２１３と上方へ離隔して位置され、前記包装部材２５０の脱着による騷音発生を減らすことができる。
【０１１０】
即ち、Ｆ方向（図１に図示）から見たとき、前記電池フレーム２１０の前後方向（ｙ方向）の中心に形成された隔壁２１３の位置は、前記電池フレーム２１０の捻れによって包装部材２５０の変形が頻繁な箇所である。したがって、前記隔壁２１３と前記包装部材２５０との接着を未然に防止することで、前記包装部材２５０の脱着による騷音の発生を防止することができる。
【０１１１】
図１２は、本発明の他の実施例によるバッテリーパックの一部構成である包装部材を概略的に示した底面図である。
【０１１２】
図２及び図９と共に図１２を参照すれば、本発明の他の実施例によるバッテリーパック（図示せず）は、前記バッテリー管理ユニット２７０と対向する位置に形成された騷音防止部材２６０に加え、更なる騷音防止部材２６２を含み得る。
【０１１３】
具体的に、前記騷音防止部材２６２は、前記包装部材２５０の接着面２５５において前記隔壁２１３と対向する少なくとも一部に形成され得る。具体的に、前記騷音防止部材２６２は、前記二つ以上の二次電池１００を区画するように前記電池フレーム２１０の最外郭の縁部２１１の内部における一側から他側まで延びた隔壁２１３と対向する位置に形成され得る。
【０１１４】
例えば、図１２に示したように、前記騷音防止部材２６２は、前記包装部材２５０の接着面２５５において前記電池フレーム２１０の電池収容部２１２に形成された二つの隔壁２１３の各々に対応する位置に形成され得る。また、前記騷音防止部材２６２は、左右方向へ長く延びたストリップ形態を有し得る。
【０１１５】
したがって、本発明のこのような構成によれば、前記騷音防止部材２６２を前記包装部材２５０の接着面２５５において前記隔壁２１３と対向する少なくとも一部に形成することで、前記隔壁２１３が前記包装部材２５０の接着面２５５に接触することを未然に防止することができる。これによって、前記隔壁２１３と前記包装部材２５０との接着を防止することで、前記包装部材２５０が前記隔壁２１３の上端面に脱着することによる騷音の発生を減らすことができる。
【０１１６】
一方、図４、図９及び図１０をさらに参照すれば、前記包装部材２５０の固定部２５４は、前記本体部２５２から下方へ折り曲げられて延び得る。そして、前記固定部２５４の末端部２５４ａは、前記二次電池１００の下面に接着面２５５（図４）が付着されるように内側方向Ｉへ折り曲げられて延び得る。
【０１１７】
また、前記電池収容部２１２の内部空間の内側面２１２ａには、内側方向Ｉへ突出して延びた支持台２１７が形成され得る。さらに、前記支持台２１７は、前記二次電池１００の下部を上方へ支持し得る。
【０１１８】
例えば、図９に示したように、前記電池フレーム２１０の最外郭の縁部２１１に沿って内側方向へ突出して延びた支持台２１７が形成され得る。この際、前記支持台２１７は、前記二次電池１００の下部を上方へ支持する位置に形成され得る。
【０１１９】
ここで、前記支持台２１７により前記二次電池１００を上方へ支持するモメンタムが発生し、前記包装部材２５０の固定部２５４が前記二次電池１００の下面に付着されることで前記二次電池１００を下方へ加圧するモメンタムが発生する。そして、二つのモメンタムの方向は相互逆方向となるため、二つのモメンタムは相殺される。これによって、前記電池フレーム２１０の最外郭の縁部２１１がよく変形されることを防止することができ、前記電池フレーム２１０の変形による騷音の発生を防止し、前記電池フレーム２１０の耐久性を向上させることができる。
【０１２０】
したがって、本発明のこのような構成によれば、前記包装部材２５０の固定部２５４が前記二次電池１００の下面に付着され、前記支持台２１７が前記二次電池１００を上方へ支持することで、前記電池フレーム２１０に二次電池１００が載置される重さによる上下方向の応力を相殺することができ、前記電池フレーム２１０の耐久性を向上させることができる。
【０１２１】
図１３は、本発明のさらに他の実施例によるバッテリーパックを切断した一部を概略的に示す断面図である。
【０１２２】
図１３を参照すれば、前記包装部材２５０Ｂの固定部２５４Ｂは、前記電池収容部２１２の内部空間の内側面２１２ａに形成された支持台２１７の内面に付着されるように形成され得る。
【０１２３】
例えば、図１３に示したように、前記包装部材２５０Ｂの固定部２５４Ｂは、前記電池フレーム２１０の内側方向へ折り曲げられて延び、折り曲げられて延びた端部が、さらに外側方向へ折り曲げられて前記支持台２１７の内面２１７ａに付着され得る。また、前記包装部材２５０Ｂの固定部２５４Ｂの端部は、前記電池フレーム２１０に収容された二次電池１００の下部面と前記支持台２１７の上面との間に介在された形態であり得る。
【０１２４】
したがって、本発明のこのような構成によれば、前記包装部材２５０Ｂの固定部２５４Ｂは、前記電池フレーム２１０に形成された支持台２１７の内面に付着されることで、図１０に示した包装部材２５０の固定部２５４が前記二次電池１００の下面に接着されている構成と比較すれば、図１３の包装部材２５０Ｂを用いる場合、前記電池フレーム２１０との接着固定力をより向上させることができる。
【０１２５】
そして、前記包装部材２５０Ｂの固定部２５４Ｂの一部は、前記電池フレーム２１０に収容された二次電池１００の下面と前記支持台２１７の上面との間に介在された形態を有することで、前記包装部材２５０Ｂの固定部２５４Ｂの固定力をさらに高めることができる。
【０１２６】
特に、前記包装部材２５０Ｂに、広い範囲で前記騷音防止部材２６０が付着される場合、前記包装部材２５０Ｂと前記電池フレーム２１０との固定力が劣り得るが、前記包装部材２５０Ｂの固定部２５４Ｂの一部が前記電池フレーム２１０に収容された二次電池１００の下面と前記支持台２１７の上面との間に介在された形態によって固定力を補うことができる。
【０１２７】
さらに、本発明による電子デバイス（図示せず）は、前記バッテリーパック２００を含み得る。そして、前記バッテリーパック２００は、前記電子デバイスの外装ケースの内部に収容され得る。この際、前記電子デバイスは、前記バッテリーパック２００からの電力を受けて作動するように構成され得る。例えば、前記電子デバイスは、電力の供給を受けて作動するように、前記バッテリーパック２００の外部の入出力端子またはデータコネクターと接続するための接続コネクターを備え得る。
【０１２８】
そして、本発明による電子システムは、前記電子デバイスを含み得る。さらに、前記電子システムは、例えば、音響システムであり得、前記電子デバイスは、ノートブックＰＣまたはタブレットＰＣであり得る。したがって、前記電子デバイスは、前記音響システムを制御するように構成され得る。
【０１２９】
なお、本明細書において、上、下、左、右、前、後のような方向を示す用語が使用されたが、このような用語は相対的な位置を示し、説明の便宜のためのものであるだけで、対象となる事物の位置や観測者の位置などによって変わり得ることは、当業者にとって自明である。
【０１３０】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【産業上の利用可能性】
【０１３１】
本発明は、騷音防止部材を含むバッテリーパックに関する。また、本発明は、前記バッテリーパックを備えた電子デバイス及び電子システム関連産業に利用可能である。
【符号の説明】
【０１３２】
１００    二次電池
１１１    電極端子
２００    バッテリーパック
２１０    電池フレーム
２１０ｈ    凹溝
２１０ｒ    リブ
２１２    電池収容部
２１３    隔壁
２１５    制御収容部
２１７    支持台
２５０    包装部材
２５２    本体部
２５４    固定部
２６０、２６１、２６２    騷音防止部材
２７０    バッテリー管理ユニット
【図１】
2020537312.tif 000003
【図２】
2020537312.tif 000004
【図３】
2020537312.tif 000005
【図４】
2020537312.tif 000006
【図５】
2020537312.tif 000007
【図６】
2020537312.tif 000008
【図７】
2020537312.tif 000009
【図８】
2020537312.tif 000010
【図９】
2020537312.tif 000011
【図１０】
2020537312.tif 000012
【図１１】
2020537312.tif 000013
【図１２】
2020537312.tif 000014
【図１３】
2020537312.tif 000015
【国際調査報告】
2020537312.tif 000016
2020537312.tif 000017
2020537312.tif 000018
2020537312.tif 000019